(57)【要約】【課題】継続して長時間使用した場合でもフェイスパックシートが乾燥し難く、しかも廃棄物を削減して資源の有効利用に貢献できるフェイスパックパッケージを提供する。【解決手段】本発明に係るフェイスパックパッケージ１は、複数枚のフェイスパックシート４を積層して形成されるシートスタック５と美容液６とが収容される詰替えパッケージ３と、詰替えパッケージ３が収容されるキャビティ１１を有するハウジングケース２とで構成される。詰替えパッケージ３は、フェイスパックシート４が取り出される上方開口４０を有する有底容器状のパッケージ本体４２と、パッケージ本体４２の上方開口４０を閉じる密封フィルム４３とを有する。ハウジングケース２の上壁８には、フェイスパックシート４の取出用開口１３と、ヒンジ１４を中心にして揺動開閉可能に構成された蓋体１５と、蓋体１５を閉じ姿勢に支持する蓋ロック機構１６とが設けられている。【選択図】図１
2020040676.tif 000002
【特許請求の範囲】
【請求項１】
複数枚のフェイスパックシート（４）を積層して形成されるシートスタック（５）と、当該シートスタック（５）に含浸される美容液（６）とが収容される詰替えパッケージ（３）と、
詰替えパッケージ（３）が収容されるキャビティ（１１）を有し、自己の形状を保持することができるハウジングケース（２）とで構成され、
詰替えパッケージ（３）が、フェイスパックシート（４）が取り出される上方開口（４０）を有する有底容器状のパッケージ本体（４２）と、パッケージ本体（４２）の上方開口（４０）を閉じる密封フィルム（４３）とを有し、
ハウジングケース（２）の上壁（８）には、フェイスパックシート（４）の取出用開口（１３）と、ヒンジ（１４）を中心にして揺動開閉可能に構成されて、該取出用開口（１３）を開閉する蓋体（１５）と、蓋体（１５）を閉じ姿勢に支持する蓋ロック機構（１６）とが設けられており、
ハウジングケース（２）が、上壁（８）を有する上ケース（２Ａ）と、底壁（３５）を有する下ケース（２Ｂ）に分割可能に構成されており、上下ケース（２Ａ・２Ｂ）に分割した状態において、キャビティ（１１）内に詰替えパッケージ（３）を収容することができるように構成されていることを特徴とするフェイスパックパッケージ。
【請求項２】
ハウジングケース（２）の上壁（８）の取出用開口（１３）の周縁と、詰替えパッケージ（３）のパッケージ本体（４２）の上方開口（４０）の周縁との間に、上方開口（４０）からの美容液（６）の液漏れを防ぐためのシール構造（Ｓ）が形成されている、請求項１記載のフェイスパックパッケージ。
【請求項３】
シール構造（Ｓ）が、ハウジングケース（２）の取出用開口（１３）の開口周縁から下向きに突設されて、詰替えパッケージ（３）の上方開口（４０）に全周に亘って内嵌状に接するシール体（４９）を構成要素とする、請求項２記載のフェイスパックパッケージ。
【請求項４】
シール構造（Ｓ）が、ハウジングケース（２）の取出用開口（１３）の開口周縁から下向きに突設されて、詰替えパッケージ（３）の上端周縁に全周に亘って外嵌状に接するシール体（４９）を構成要素とする、請求項２記載のフェイスパックパッケージ。
【請求項５】
蓋体（１５）が、取出用開口（１３）を封止する蓋壁（２３）と、蓋壁（２３）の裏面から下方に向けて突設された筒壁（２４）とを有し、
ハウジングケース（２）の上壁（８）の取出用開口（１３）の周縁には、筒壁（２４）を受け入れる上向きの開口を有する断面コ字形の蓋受枠（１９）が周回状に形成されており、
蓋受枠（１９）にシール体（４９）が設けられている、請求項３又は４記載のフェイスパックパッケージ。
【請求項６】
詰替えパッケージ（３）が、有底容器状のパッケージ本体（４２）と、パッケージ本体（４２）の上方を塞ぐ密封フィルム（４３）と、密封フィルム（４３）に設けられた上方開口（４０）を封止するシール蓋（５６）とを有し、
蓋受枠（１９）の下面が、上方開口（４０）の周縁に位置する密封フィルム（４３）の上面に接するように構成されている、請求項５記載のフェイスパックパッケージ。
【発明の詳細な説明】
【技術分野】
【０００１】
本発明は、フェイスパックシートをシートスタックの形態で販売に供するフェイスパックパッケージに関する。
【背景技術】
【０００２】
本発明に係るパッケージでは、フェイスパックシートをシートスタックの形態で販売に供するが、このこと自体は特許文献１に開示されており公知である。特許文献１のパッケージは、折り畳まれたフェイスパックシートを上下に複数枚積層してなる積層体（シートスタック）と、積層体に含浸される美容液と、これら積層体と美容液とを包装する包装袋とで構成される。
【０００３】
特許文献１のパッケージを構成する包装袋は、気密性のあるプラスチックフィルムを素材とするピロー包装袋やガゼット包装袋であり、上面にフェイスパックシートを取り出すための取出口を有する蓋ユニット部品が設けられている。蓋ユニット部品は、盤面中央に取出口が開設された硬質プラスチックからなる基板と、取出口を覆って密閉することができる開閉自在な蓋体とで構成される。基板の取出口の周囲には嵌合受部が設けられており、この嵌合受部と相互に嵌合可能な嵌合部が蓋体に設けられている。
【先行技術文献】
【特許文献】
【０００４】
【特許文献１】特開２０１０−２８５１７６号公報
【発明の概要】
【発明が解決しようとする課題】
【０００５】
フェイスパックシートが一枚ずつ包装袋内に収容されている形態、すなわちフェイスパックシートが個包装されている形態では、フェイスパックシートを一枚使用するたびに廃棄物である包装袋が生じることとなる。これに対して、特許文献１に記載のパッケージのように、フェイスパックシートを上下に複数枚積層してなる積層体の形として、これが包装袋内に収納されていると、積層体を構成するフェイスパックシートの全てを使い切るまでは包装袋を廃棄する必要はなく、廃棄物量を大幅に削減することができる。資源の有効利用にも貢献できる。
【０００６】
しかし、特許文献１のように、包装袋をピロー包装袋やガゼット包装袋とする形態では、積層体の包装袋への収納工程において、積層体から漏れ出た美容液がフィルムの溶着部分に至って溶着不良が生じるおそれがある。このため、特許文献１の形態では、積層体に含浸される美容液量には限界があり、より多くの美容液が含浸された湿潤状態のフェイスパックシートを提供することは困難である。
【０００７】
この問題は、例えば、有底容器状のプラスチック製の収容ケースの内部に、積層体と美容液とを収容してパッケージを形成することで解決できる。しかし、収容ケースの取出口を封止する蓋体が軟質のプラスチックフィルムからなり、粘着剤の粘着力により閉じ状態が維持されるシール蓋であると、粘着剤の粘着力の低下により蓋体の密閉性が急速に低下して、内部の美容液の水分が揮散し、フェイスパックシートを湿潤状態に維持することができず、パッケージ内でフェイスパックシートを最後まで適正な状態で保存することが困難となるおそれがある。また、この種のフェイスパックシートは、包装袋等から取り出されたのち、展開されて顔肌に貼り付けられるものであり、展開操作後の両手指には美容液が付着しているため、シール蓋を手指で閉じ操作するときに、シール蓋やその周囲が美容液で汚染しやすい不利もある。収容ケースと蓋体の全体を硬質のプラスチックで形成して、蓋体をヒンジを中心に回動可能に構成するとともに、閉じ姿勢にある蓋体がロック保持されるように構成すれば、上記のようなフェイスパックシートの乾燥問題や、美容液による汚染問題はある程度は解消できるが、その場合には、パッケージの製造コストが大幅に上昇することが避けられない。パッケージ内のフェイスパックシートが使い切られると、収容ケースと蓋体とが廃棄されることとなり、廃棄物量が大きくなる点にも不利がある。
【０００８】
本発明は、多くの美容液が含浸された湿潤状態のフェイスパックシートを提供できるとともに、継続して長時間使用した場合でもフェイスパックシートが乾燥することはなく、しかも廃棄物を削減して資源の有効利用に貢献できる、フェイスパックパッケージを提供することを目的とする。
【課題を解決するための手段】
【０００９】
本発明に係るフェイスパックパッケージ１は、複数枚のフェイスパックシート４を積層して形成されるシートスタック５と、当該シートスタック５に含浸される美容液６とが収容される詰替えパッケージ３と、詰替えパッケージ３が収容されるキャビティ１１を有し、自己の形状を保持することができるハウジングケース２とで構成される。詰替えパッケージ３は、フェイスパックシート４が取り出される上方開口４０を有する有底容器状のパッケージ本体４２と、パッケージ本体４２の上方開口４０を閉じる密封フィルム４３とを有する。ハウジングケース２の上壁８には、フェイスパックシート４の取出用開口１３と、ヒンジ１４を中心にして揺動開閉可能に構成されて、該取出用開口１３を開閉する蓋体１５と、蓋体１５を閉じ姿勢に支持する蓋ロック機構１６とが設けられている。ハウジングケース２は、上壁８を有する上ケース２Ａと、底壁３５を有する下ケース２Ｂに分割可能に構成されており、上下ケース２Ａ・２Ｂに分割した状態において、キャビティ１１内に詰替えパッケージ３を収容することができるように構成されている。
【００１０】
ハウジングケース２の上壁８の取出用開口１３の周縁と、詰替えパッケージ３のパッケージ本体４２の上方開口４０の周縁との間に、上方開口４０からの美容液６の液漏れを防ぐためのシール構造Ｓが形成されている。
【００１１】
シール構造Ｓは、ハウジングケース２の取出用開口１３の開口周縁から下向きに突設されて、詰替えパッケージ３の上方開口４０に全周に亘って内嵌状に接するシール体４９を構成要素とする。
【００１２】
シール構造Ｓは、ハウジングケース２の取出用開口１３の開口周縁から下向きに突設されて、詰替えパッケージ３の上端周縁に全周に亘って外嵌状に接するシール体４９を構成要素とすることができる。
【００１３】
具体的には、蓋体１５は、取出用開口１３を封止する蓋壁２３と、蓋壁２３の裏面から下方に向けて突設された筒壁２４とを有しており、ハウジングケース２の上壁８の取出用開口１３の周縁には、筒壁２４を受け入れる上向きの開口を有する断面コ字形の蓋受枠１９が周回状に形成されており、蓋受枠１９にシール体４９が設けられている形態を採ることができる。
【００１４】
詰替えパッケージ３は、有底容器状のパッケージ本体４２と、パッケージ本体４２の上方を塞ぐ密封フィルム４３と、密封フィルム４３に設けられた上方開口４０を封止するシール蓋５６とを有するものとし、蓋受枠１９の下面が、上方開口４０の周縁に位置する密封フィルム４３の上面に接するように構成することができる。
【発明の効果】
【００１５】
本発明に係るフェイスパックパッケージにおいては、複数枚のフェイスパックシート４を積層して形成されるシートスタック５と、当該シートスタック５に含浸される美容液６とが収容される詰替えパッケージ３と、詰替えパッケージ３が収容されるキャビティ１１を有し、自己の形状を保持することができるハウジングケース２とでフェイスパックパッケージ１を構成したので、詰替えパッケージ３内のシートスタック５を構成するフェイスパックシート４を使い切ったときには、当該詰替えパッケージ３のみを新しいものに交換すればよく、ハウジングケース２そのものの交換やフェイスパックパッケージ１の全体の交換は不要となる。従って、シートスタック５の交換時における廃棄物量を大幅に削減して資源の有効利用に貢献できる。
【００１６】
詰替えパッケージ３をフェイスパックシート４が取り出される上方開口４０を有する有底容器状のパッケージ本体４２をベースとして、当該パッケージ本体４２内にシートスタック５と美容液６とが収容されるようにしたので、従来のピロー包装袋やガゼット包装袋のように、シートスタックから漏れ出た美容液が包装袋の溶着部分に至って溶着不良が生じることはない。従って本発明に係るフェイスパックパッケージ１によれば、シートスタック５に対して、より多くの美容液６を含浸させることが可能であり、より多くの美容液６が含浸された湿潤状態のフェイスパックシート４を提供することが可能となる。
【００１７】
さらにハウジングケース２の上壁８に、ヒンジ１４を中心にして揺動開閉可能に構成された蓋体１５を閉じ姿勢に支持する蓋ロック機構１６を設けたので、当該蓋ロック機構１６により蓋体１５を閉じ姿勢に支持させるだけで、蓋体１５により取出用開口１３を確実に閉じることが可能であり、取出用開口１３から美容液６の水分が蒸発してフェイスパックシート４が乾燥することを効果的に抑えることができる。従って、例えば詰替えパッケージ３に収容されるフェイスパックシート４の枚数を多くして、使用期間が長期に亘る場合でも、最後の一枚までフェイスパックシート４を湿潤状態に維持することができる。
【００１８】
ハウジングケース２の取出用開口１３の周縁と、詰替えパッケージ３の上方開口４０の周縁との間に上方開口４０からの美容液６の液漏れを防ぐためのシール構造Ｓが形成されていると、上方開口４０から漏れ出た美容液６によりキャビティ１１内が汚染されることを防止して、キャビティ１１内を衛生的な状態に保持することができる。
【００１９】
具体的には、シール構造Ｓは、ハウジングケース２の取出用開口１３の開口周縁から下向きに突設されて、詰替えパッケージ３の上方開口４０に全周に亘って内嵌状に接するシール体４９を構成要素とするものとできる。これによれば、下ケース２Ｂに対して上ケース２Ａを蓋合せ状に接合するとき、シール体４９が、詰替えパッケージ３の上方開口４０に全周に亘って内嵌状に接することで、ハウジングケース２の取出用開口１３の周縁と、詰替えパッケージ３の上方開口４０との間の隙間を塞いで、上方開口４０から美容液６が液漏れすることを確実に防ぐことができる。
【００２０】
シール構造Ｓは、ハウジングケース２の取出用開口１３の開口周縁から下向きに突設されて、詰替えパッケージ３の上端周縁に全周に亘って外嵌状に接するシール体４９を構成要素とするものとできる。これによれば、下ケース２Ｂに対して上ケース２Ａを蓋合せ状に接合するとき、シール体４９が、詰替えパッケージ３の上端周縁に全周に亘って外嵌状に接することで、ハウジングケース２の取出用開口１３の周縁と、詰替えパッケージ３の上方開口４０との間の隙間を塞いで、上方開口４０から美容液６が液漏れすることを確実に防ぐことができる。
【００２１】
蓋体１５を、取出用開口１３を封止する蓋壁２３と、蓋壁２３の裏面から下方に向けて突設された筒壁２４とを有するものとし、ハウジングケース２の上壁８の取出用開口１３の周縁に、筒壁２４を受け入れる上向きの開口を有する断面コ字形の蓋受枠１９が周回状に形成されていると、蓋体１５を閉姿勢としたときに、筒壁２４が蓋受枠１９に受け入れられることで、取出用開口１３を蓋体１５で密閉することができる。これにより、取出用開口１３から美容液６の水分が蒸発することを抑えることができるので、フェイスパックパッケージ１内においてフェイスパックシート４が乾燥することを確実に防ぐことができる。また、蓋体１５の不用意な遊動を防ぐことができるので、蓋体１５で取出用開口１３を確実に閉じることが可能となり、この点でもフェイスパックシート４が乾燥することを確実に防ぐことができる。
【００２２】
詰替えパッケージ３は、有底容器状のパッケージ本体４２と、パッケージ本体４２の上方を塞ぐ密封フィルム４３と、密封フィルム４３に設けられた上方開口４０を封止するシール蓋５６とを有するものであってもよく、この場合には、蓋受枠１９の下面が、上方開口４０の周縁に位置する密封フィルム４３の上面に接するように構成する。これによれば、蓋受枠１９の下面が、上方開口４０の周縁に位置する密封フィルム４３の上面に接することによっても、取出用開口１３と上方開口４０との間の隙間を塞いで、両開口１３・４０の間を密封することができるので、上方開口４０から美容液６が液漏れすることを確実に防ぐことができる。
【図面の簡単な説明】
【００２３】
【図１】本発明の実施例１に係るフェイスパックパッケージの分解斜視図である。
【図２】フェイスパックパッケージの外観斜視図である。
【図３】フェイスパックパッケージの縦断側面図である。
【図４】フェイスパックパッケージを構成する詰替えパッケージの分解斜視図である。
【図５】本発明の実施例２に係るフェイスパックパッケージの縦断側面図である。
【図６】本発明の実施例３に係るフェイスパックパッケージの縦断側面図である。
【図７】本発明の実施例４に係るフェイスパックパッケージを構成する詰替えパッケージの斜視図である。
【図８】本発明の実施例４に係るフェイスパックパッケージの要部の縦断側面図である。
【図９】詰替えパッケージの他の例を示す斜視図である。
【図１０】本発明の実施例５に係るフェイスパックパッケージの要部の縦断側面図である。
【発明を実施するための形態】
【００２４】
（実施例１）  図１から図４に、本発明に係るフェイスパックパッケージの実施例１を示す。本実施例における前後、左右、上下とは、図１に示す交差矢印と、各矢印の近傍に表記した前後、左右、上下の表示に従う。
【００２５】
図１乃至図３に示すように、フェイスパックパッケージ１は、ハウジングケース２と、ハウジングケース２内に収容される詰替えパッケージ３とで構成される。図３、４に示すように、詰替えパッケージ３には、複数枚のフェイスパックシート４を積層して構成されるシートスタック５と、当該シートスタック５に含浸される美容液６とが収容される。ハウジングケース２は、上ケース２Ａと下ケース２Ｂとからなり、両ケース２Ａ・２Ｂを蓋合せ状に接合して構成される。上下ケース２Ａ・２Ｂは、例えばポリエチレン、ポリプロピレン、ポリエチレンテレフタレート、ＡＢＳ樹脂などの合成樹脂を素材とする成形品であり、各ケース２Ａ・２Ｂは自己の形状を保持することができる程度の剛性を有している。
【００２６】
上ケース２Ａは、左右横長の長方形状の上壁８と、上壁８の四周縁から下方に向けて伸びる周側壁９とからなり、下方に開口を有する容器状に形成されている。下ケース２Ｂは平板状に形成されており、上ケース２Ａの周側壁９の下端に装着される。これら上下ケース２Ａ・２Ｂを蓋合せ状に接合してハウジングケース２を構成したとき、当該ケース２の内部には詰替えパッケージ３が収容されるキャビティ１１が形成される。
【００２７】
上ケース２Ａの上壁８には、フェイスパックシート４を取り出すための取出用開口１３と、ヒンジ１４を中心にして取出用開口１３を封止する閉じ姿勢（図３参照）と、取出用開口１３を開く開き姿勢（図２参照）との間で揺動開閉可能に構成された蓋体１５と、蓋体１５を閉じ姿勢に支持する蓋ロック機構１６と、蓋ロック機構１６により解除された蓋体１５を開き姿勢に付勢する付勢機構１７とが設けられている。上ケース２Ａの上壁８には、蓋体１５を受け入れるための凹欠部１８が形成されており、この凹欠部１８の中央部分に取出用開口１３が形成されている。取出用開口１３は、左右横長の角丸長方形（長円形）の通孔であり、その周縁には、上向きの開口を有する断面コ字形の蓋受枠１９が周回状に形成されている。図３に示すように、蓋受枠１９は、上壁８に連続して下方に向う外周壁２０と、外周壁２０に連続して盤面中央方向に向って水平方向に伸びる受壁２１と、受壁２１の内端に連続して上方に向かう内周壁２２とからなり、内周壁２２の内面に取出用開口１３が形成されている。
【００２８】
蓋体１５は、閉じ姿勢において凹欠部１８に進入して上壁８と面一状となって、取出用開口１３を封止する蓋壁２３と、蓋壁２３の裏面から下方に向けて突設された短尺状の筒壁２４とを有する。図３に示すように、蓋壁２３の後端の左右には揺動中心となるヒンジピン２５が突設されており、凹欠部１８の後端には、ヒンジピン２５を受け入れる軸受穴（図外）が設けられており、これらヒンジピン２５と軸受穴とでヒンジ１４が構成される。各ヒンジピン２５には、ねじりコイルばねであって付勢機構１７を構成するキックばね２７が外嵌装着されており、このキックばね２７により蓋体１５は開き姿勢に向って付勢されている。
【００２９】
蓋ロック機構１６は、筒壁２４の前面部に突設された係合片２８と、凹欠部１８に臨む上壁８の前端部に装着された操作体２９とで構成される。操作体２９は、揺動軸３０を介して上壁８に揺動可能に装着された揺動片３１と、係合片２８と係合するロック爪３２とを一体に備える樹脂成形品である（図３参照）。操作体２９は、ロック爪３２が係合片２８と係合して蓋体１５を閉じ姿勢に支持するロック姿勢と、ロック爪３２と係合片２８との係合状態が解除されるアンロック姿勢との間で揺動可能に構成されており、常態においてはロック姿勢に付勢されている。図３の実線で示すように蓋体１５が閉じ姿勢とされている状態から、ユーザーが揺動片３１の前端部分を押圧操作すると、操作体２９はロック姿勢からアンロック姿勢に変位し、ロック爪３２と係合片２８との間の係合状態が解除され、これによりキックばね２７の付勢力により蓋体１５を開き姿勢に自動的に変位させることができる。また、キックばね２７の付勢力に抗して、蓋体１５を開き姿勢から閉じ姿勢に変位させると、係合片２８がロック爪３２に係合され、これにより蓋体１５を閉じ姿勢に維持させることができる。この閉じ姿勢において、筒壁２４が蓋受枠１９内に進入するとともに、筒壁２４の下端が受壁２１の上面に接することで、取出用開口１３は封止される。
【００３０】
図１、３に示すように、下ケース２Ｂは、左右横長の長方形状の底壁３５と、底壁３５の周縁に立設されて、上ケース２Ａの周側壁９の下端に内嵌装着される枠状の嵌合壁３６とを備える。底壁３５の前後左右の四箇所には、キャビティ１１内において詰替えパッケージ３を遊動不能に支持するための位置決め片３７が突設されている。
【００３１】
図４に示すように詰替えパッケージ３は、上方開口４０を備え、その内部にシートスタック５を収容するための主室４１を備える有底容器状のパッケージ本体４２と、上方開口４０を閉じる密封フィルム４３とで構成される。パッケージ本体４２は、左右横長の長方形状の底壁４４と、底壁４４の四周縁から立設された周囲壁４５とを有する樹脂成形品であり、周囲壁４５の上端には、密封フィルム４３を溶着するためのフランジ壁４６が張出し形成されている。底壁４４と周囲壁４５には、補強リブ４７が形成されている。パッケージ本体４２は、ポリエチレン、ポリプロピレン、ポリエチレンテレフタレート等の半透明樹脂を素材にして、真空成形法、インジェクション成形法、ブロー成形法などで成形される。
【００３２】
密封フィルム４３は、透明なプラスチックフィルムを上方開口４０より一回り大きな横長四角形状に打ち抜いてなるものであり、その一つのコーナー部に摘み片４８が形成されている。密封フィルム４３は、ガスバリア性とアルコールへの耐性を備えた軟質のプラスチックフィルムで形成されており、その周縁がパッケージ本体４２のフランジ壁４６に溶着されている。摘み片４８を指先で摘んで、密封フィルム４３の前後および左右側縁をフランジ壁４６から剥離することにより、上方開口４０を開放することができる。
【００３３】
フェイスパックシート４は、丸形に形成した含浸シートのシート面に、目、鼻、口に対応する切込みを形成してなるものであり、全体を折り畳んで重合体とし、この重合体を複数枚重ねてシートスタック５が構成される。シートスタック５をパッケージ本体４２の主室４１に収容したのちに、主室４１内に美容液６を注入させて、最後に密封フィルム４３で上方開口４０を封止することで詰替えパッケージ３を得ることができる。
【００３４】
以上のようにして得られる詰替えパッケージ３は、例えばパッケージ本体４２の外面にシュリンク包装等が施された形態で販売に供される。また、購入者により、シュリンク包装と密封フィルム４３とを剥がしてから、パッケージ本体４２をハウジングケース２のキャビティ１１内に組み込むことで使用に供される。例えば、フェイスパックパッケージ１の詰替えパッケージ３を交換する際には、下ケース２Ｂを上ケース２Ａから取り外し、使用後の詰替えパッケージ３を除去したのち、新たな詰替えパッケージ３をハウジングケース２内に装填する。具体的には、下ケース２Ｂの位置決め片３７に沿って、パッケージ本体４２を下ケース２Ｂの底壁３５に向って上方から落とし込む。このときに、パッケージ本体４２の周囲壁４５が位置決め片３７により外嵌状に保持されることで、下ケース２Ｂに対して詰替えパッケージ３を遊動不能に装着することができる。かかる装着状態から、密封フィルム４３を剥がしたのち、詰替えパッケージ３に上ケース２Ａを被せ付けて、上下ケース２Ａ・２Ｂを蓋合せ状に接合する。このとき、下ケース２Ｂの嵌合壁３６が、上ケース２Ａの周側壁９の下端に内嵌装着されることで、上下ケース２Ａ・２Ｂは容易には分離不能な状態で接合される。
【００３５】
以上のように、ハウジングケース２のキャビティ１１内に詰替えパッケージ３を組み込んだとき、ハウジングケース２の取出用開口１３と詰替えパッケージ３の上方開口４０との間に隙間があると、フェイスパックシート４の取り出し時に、上方開口４０を超えて美容液６が溢れ出て、当該美容液６がハウジングケース２のキャビティ１１内を汚染し、場合によっては上ケース２Ａと下ケース２Ｂの接合部分から漏れ出るおそれがある。そこで、本実施例に係るフェイスパックパッケージ１においては、ハウジングケース２の取出用開口１３の周縁と、詰替えパッケージ３の上方開口４０の周縁との間に、該上方開口４０からの美容液６の液漏れを防ぐためのシール構造Ｓが形成されている。シール構造Ｓは、ハウジングケース２の取出用開口１３の開口周縁から下向きに突設されて、詰替えパッケージ３の上方開口４０に全周に亘って内嵌状に接するシール体４９を構成要素とするものであり、本実施例では蓋受枠１９の外周壁２０をシール体４９としている。
【００３６】
具体的には、下ケース２Ｂに対して上ケース２Ａを蓋合せ状に接合するとき、上ケース２Ａの取出用開口１３の開口周縁から下向きに突設された蓋受枠１９の外周壁２０（シール体４９）が、詰替えパッケージ３の上方開口４０に全周に亘って内嵌状に接する。これにより、ハウジングケース２の取出用開口１３の周縁と、詰替えパッケージ３の上方開口４０との間に連通状態が確立されるとともに、ハウジングケース２と詰替えパッケージ３との間に上方開口４０からの不用意な液漏れを防ぐシール構造Ｓを確立することができる。このように、ハウジングケース２と詰替えパッケージ３との間にシール構造Ｓが確立されていると、詰替えパッケージ３の上方開口４０からの不用意な液漏れを防ぐことができるので、キャビティ１１内が汚染されることを防止して、キャビティ１１内を衛生的な状態に保持することができる。
【００３７】
フェイスパックパッケージ１からフェイスパックシート４を取り出すときには、まず、使用者は操作体２９を押圧操作する。これにより、蓋体１５の係合片２８と、操作体２９のロック爪３２との係合状態が解除されるので、キックばね２７の付勢力により蓋体１５は閉じ姿勢から開姿勢に変位され、取出用開口１３は開放される。使用者は取出用開口１３を介して詰替えパッケージ３の主室４１内に手指を挿入して、シートスタック５の最上部に位置するフェイスパックシート４を摘んでハウジングケース２の外部に取り出して、これを展開したのち顔肌に貼り付けて使用する。使用者が蓋体１５を開き姿勢から閉じ姿勢に変位させると、係合片２８とロック爪３２との間の係合状態が確立され、蓋体１５を閉じ姿勢に維持することができる。以上のような蓋体１５の閉じ操作は、手指を使うことなく、肘などで蓋体１５を押すだけで行うことができるため、フェイスパックシート４の取り出しから、蓋体１５の閉じ操作に至る一連の動作において、手指に付着した美容液６によって蓋体１５が汚染されることを抑えて、ハウジングケース２の外面を衛生的な状態に保持することができる。
【００３８】
また、詰替えパッケージ３と、詰替えパッケージ３が収容されるハウジングケース２とでフェイスパックパッケージ１を構成したので、シートスタック５を構成するフェイスパックシート４を使い切ったときには、ハウジングケース２内に収容される詰替えパッケージ３を新しいものに交換すればよく、ハウジングケース２そのものの交換やフェイスパックパッケージ１の全体の交換は不要となる。従って、シートスタック５の交換時における廃棄物量を大幅に削減して資源の有効利用に貢献できる。
【００３９】
また、詰替えパッケージ３をフェイスパックシート４が取り出される上方開口４０を有する有底容器状のパッケージ本体４２をベースとして、当該パッケージ本体４２内にシートスタック５と美容液６とが収容されるようにしたので、従来のピロー包装袋やガゼット包装袋のように、シートスタックから漏れ出た美容液が包装袋の溶着部分に至って溶着不良が生じることはない。従って本実施例に係るフェイスパックパッケージ１によれば、シートスタック５により多くの美容液６を含浸させることが可能であり、より多くの美容液６が含浸された湿潤状態のフェイスパックシート４を提供することが可能となる。
【００４０】
また、ハウジングケース２の上壁８に、ヒンジ１４を中心にして揺動開閉可能に構成された蓋体１５を閉じ姿勢に支持する蓋ロック機構１６を設けたので、当該蓋ロック機構１６により蓋体１５を閉じ姿勢に支持させるだけで、蓋体１５により取出用開口１３を確実に閉じることが可能であり、取出用開口１３から美容液６の水分が蒸発してフェイスパックシート４が乾燥することを効果的に抑えることができる。従って、例えば詰替えパッケージ３に収容されるフェイスパックシート４の枚数を多くして、ハウジングケース２内に詰替えパッケージ３に収容されてから長期に亘ってフェイスパックパッケージ１が使用される場合でも、最後の一枚までフェイスパックシート４を湿潤状態に維持することができる。
【００４１】
（実施例２）  図５に本発明の実施例２に係るフェイスパックパッケージを示す。この実施例２では、ハウジングケース２を構成する下ケース２Ｂを、底壁３５の四周縁から周側壁５０が立設された有底容器状としている点、および上ケース２Ａを、上壁８をベースとして周側壁９を有しない平板状としている点が先の実施例１と相違する。上下ケース２Ａ・２Ｂを接合する凹凸係合構造は、下ケース２Ｂの周側壁５０の上端に形成される接合突起５１と、この接合突起５１に対応して上ケース２Ａの下面側の周側縁に形成された接合凹部５２とからなり、両者５１・５２の凹凸係合によって、上下ケース２Ａ・２Ｂは分離不能に接合されている。それ以外の点は、先の実施例１と同様であるので、同一の部材には同一の符号を付して、その説明を省略する。
【００４２】
（実施例３）  図６に本発明の実施例３に係るフェイスパックパッケージを示す。この実施例３では、ハウジングケース２を半割り状に二分割して上下ケース２Ａ・２Ｂを形成するととともに、これら上下ケース２Ａ・２Ｂの周側壁９・５０どうしをヒンジ５３により連結して、該ヒンジ５３を中心にして開閉可能に構成した点が先の実施例１、２と相違する。ヒンジ５３は、後方寄りの周側壁９・５０どうしを連結しており、前方寄りの周側壁９・５０には、閉じ状態において上ケース２Ａを固定するための係止構造５４が形成されている。それ以外の点は、先の実施例１、２と同様であるので、同一の部材には同一の符号を付して、その説明を省略する。
【００４３】
（実施例４）  図７および図８に本発明の実施例４に係るフェイスパックパッケージを示す。この実施例４では、詰替えパッケージ３のフェイスパックシート４を取り出すための上方開口４０が、密封フィルム４３の中央部に形成されている点が先の実施例１と相違する。より具体的には、図７に示すように、密封フィルム４３の盤面中央には、左右横長の角丸長方形の上方開口４０が形成されており、この上方開口４０を介してフェイスパックシート４は詰替えパッケージ３から取り出されるようになっている。工場出荷時および販売時においては、密封フィルム４３の上面には、上方開口４０を塞ぐ長方形状のシール蓋５６が貼着されており、使用時には、密封フィルム４３とフランジ壁４６との溶着状態を維持したままで、シール蓋５６のみを剥がすことで、上方開口４０を開放することができる。符号５７は、シール蓋５６に設けられた摘み片を示しており、この摘み片５７を指先で摘み、上方に引き上げることで、シール蓋５６を密封フィルム４３から剥がして、上方開口４０を開放することができる。
【００４４】
本実施例におけるシール構造Ｓは、蓋受枠１９の内周壁２２をシール体４９とする。具体的には、下ケース２Ｂに対して上ケース２Ａを蓋合せ状に接合するとき上ケース２Ａの取出用開口１３の開口周縁から下向きに突設された蓋受枠１９の内周壁２２（シール体４９）が密封フィルム４３の上方開口４０に全周に亘って内嵌状に接し、これにより、ハウジングケース２の取出用開口１３の周縁と、詰替えパッケージ３の上方開口４０との間に連通状態が確立されるとともに、ハウジングケース２と詰替えパッケージ３との間に上方開口４０からの不用意な液漏れを防ぐシール構造Ｓを確立することができる。加えて、蓋受枠１９の受壁２１が密封フィルム４３の上方開口４０の周縁に面接触することによっても、上方開口４０からの不用意な液漏れを防ぐことができる。
【００４５】
なお、密封フィルム４３に設けられていた上方開口４０の形状は、図７に示すような角丸長方形に限られず、図９に示すような長方形状であってもよい。この場合には、内周壁２２の形状を密封フィルム４３の上方開口４０に全周に亘って内嵌状に接するように長方形状に構成することが好ましい。
【００４６】
（実施例５）  図１０に本発明の実施例５に係るフェイスパックパッケージを示す。この実施例５では、シール構造Ｓの構成要素であるシール体４９が、ハウジングケース２の取出用開口１３の開口周縁から下向きに突設されて、詰替えパッケージ３の上端周縁に全周に亘って外嵌状に接する筒体５９である点が先の実施例１と相違する。具体的には、シール体４９となる筒体５９は、蓋受枠１９の外側寄りの下面から突出しており、上下ケース２Ａ・２Ｂを接合させたとき、詰替えパッケージ３のフランジ壁４６の周縁に外接するように構成されている。また、上下ケース２Ａ・２Ｂを接合させたとき、蓋受枠１９の下面がフランジ壁４６の上面に面接触するように構成されている。以上のようなシール体４９がフランジ壁４６の周縁に外接することと、蓋受枠１９の下面がフランジ壁４６の上面に面接触することで、上方開口４０から美容液６が不用意に漏れることを防ぐことができる。
【００４７】
本発明に係るフェイスパックパッケージの形態は、上記実施例に記載したものに限られず、例えばハウジングケース２が立方体状の形態や、より横長の長方形状の形態であってもよい。フェイスパックシート４の形態も上記実施例に記載したものに限られない。蓋ロック機構１６は、上記実施例に記載したものに限られず、例えば蓋体の裏面に設けられた筒壁が、取出用開口に内嵌されることで、蓋体が閉じ姿勢に維持されるものであってもよい。
【符号の説明】
【００４８】
１  フェイスパックパッケージ
２  ハウジングケース
２Ａ  上ケース
２Ｂ  下ケース
３  詰替えパッケージ
４  フェイスパックシート
５  シートスタック
６  美容液
８  ハウジングケースの上壁
１１  キャビティ
１３  取出用開口
１５  蓋体
１６  蓋ロック機構
１９  蓋受枠
２３  蓋壁
２４  筒壁
３５  底壁
４０  上方開口
４２  パッケージ本体
４３  密封フィルム
４９  シール体
５６  シール蓋
【図１】
2020040676.tif 000003
【図２】
2020040676.tif 000004
【図３】
2020040676.tif 000005
【図４】
2020040676.tif 000006
【図５】
2020040676.tif 000007
【図６】
2020040676.tif 000008
【図７】
2020040676.tif 000009
【図８】
2020040676.tif 000010
【図９】
2020040676.tif 000011
【図１０】
2020040676.tif 000012